(57)【要約】【課題】読み取った原稿に対して印刷を行うことができなかった。また、原稿内の機密情報を隠ぺいする用に機密領域に印刷すること、さらに透かし防止のために裏面の対応する領域である対応領域の印刷状態に応じて適切な印刷パターンで印刷することはできなかった。【解決手段】読み取った原稿に画像形成できるような、読み取り用の原稿搬送路と画像形成用の搬送路を持ち、原稿上の機密領域を塗りつぶし、裏面の対応領域の印刷状態に応じて透けることを防止するために印刷パターンの印刷を裏面にできる、画像形成装置を提供する。【選択図】図１３
2014103526.tif 000002
【特許請求の範囲】
【請求項１】
記録材を搬送するための、第１の搬送路と、
前記第１の搬送路と連結し、原稿を搬送するための、画像読取手段を備えた第２の搬送路と、
を備え、前記第２の搬送路には、前記原稿または前記記録材を反転して搬送する反転搬送路をさらに備える画像形成装置において、
前記原稿の第１面に機密情報を記載した機密領域があるかどうかを判定し、前記機密領域があると判定された場合に、前記原稿の第１面とは異なる前記原稿の第２面における前記機密領域に対応する対応領域を求める機密領域処理手段と、
前記機密領域および前記対応領域を、予め設定された印刷パターンで印刷するように制御する印刷制御手段と、
を有することを特徴とする画像形成装置。
【請求項２】
前記機密領域処理手段は、前記機密領域および前記対応領域を特定し、前記機密領域または前記対応領域に印刷されている印刷内容に応じて、印刷パターンを変更することを特徴とする請求項１に記載の画像形成装置。
【請求項３】
前記機密領域処理手段は、前記対応領域にすでに印刷がなされている場合に、画素が少なく判別しやすい印刷パターンを用いて前記対応領域に印刷するか、または、まったく印刷しないと判定することを特徴とする請求項１に記載の画像形成装置。
【請求項４】
前記機密領域処理手段は、前記対応領域に何らかのイメージが印刷されている場合または背景や記録材の色が閾値より濃い場合には、前記対応領域に印刷しないと判定することを特徴とする請求項１に記載の画像形成装置。
【請求項５】
前記機密領域処理手段は、前記対応領域に文字または線画がすでに印刷されている場合には、前記文字または前記線画に応じて印刷パターンを変え、前記対応領域に印刷すると判定することを特徴とする請求項１に記載の画像形成装置。
【請求項６】
前記機密領域処理手段は、前記機密領域の印刷パターンを前記原稿の縦方向の中心線に対する鏡像位置に反転した印刷パターンで前記対応領域に印刷すると判定することを特徴とする請求項１に記載の画像形成装置。
【請求項７】
前記機密領域処理手段は、印刷する１枚目の原稿から前記対応領域の印刷パターンを取得し、
前記印刷手段は、前記機密領域処理手段が取得した前記対応領域の印刷パターンに従って、２枚目以降の原稿に印刷すると判定することを特徴とする請求項１に記載の画像形成装置。
【請求項８】
前記第２の搬送路は、複数の原稿を搬送するための搬送路と連結し、
前記画像読取手段は、前記第２の搬送路および前記複数の搬送路のうちのいずれか２つの搬送路の間に、回転可能に備えられていることを特徴とする請求項１ないし７のいずれか１項に記載の画像形成装置。
【請求項９】
原稿を読み取り、前記原稿に機密領域があるか判定する判定手段と、
前記判定手段による判定結果に基づき、前記原稿の機密領域に所定のパターンを印刷するように制御する印刷制御手段とを
有することを特徴とする画像形成装置。
【請求項１０】
原稿を読み取り、前記原稿の第１面に機密領域があるか判定する判定手段と、
前記判定手段による判定結果に基づき、前記原稿の第１面の機密領域と前記機密領域に対応する前記原稿の第２面の対応領域に所定のパターンを印刷するように制御する印刷制御手段とを
有することを特徴とする画像形成装置。
【請求項１１】
記録材を搬送するための、第１の搬送路と、
前記第１の搬送路と連結し、原稿を搬送するための、画像読取手段を備えた第２の搬送路と、
を備え、前記第２の搬送路には、前記原稿または前記記録材を反転して搬送する反転搬送路をさらに備える画像形成装置で実行する画像形成方法において、
前記原稿の第１面に機密情報を記載した機密領域があるかどうかを判定し、前記機密領域があると判定された場合に、前記原稿の第１面とは異なる前記原稿の第２面における前記機密領域に対応する対応領域を求める機密領域処理ステップと、
前記機密領域および前記対応領域を、予め設定された印刷パターンで印刷するように制御する印刷制御ステップと、
を有することを特徴とする画像形成方法。
【請求項１２】
コンピュータを請求項１ないし１０のいずれか１項に記載の画像形成装置として機能させるためのプログラム。
【発明の詳細な説明】
【技術分野】
【０００１】
本発明は、画像形成装置、画像形成方法およびプログラムに関する。
【背景技術】
【０００２】
従来、ＡＤＦを搭載する複写機、ＬＢＰ、ファクシミリ、または多機能複合機（ＭＦＰ）等の画像形成装置は、原稿搬送式の画像読取手段の搬送系統と、印字紙等の記録材に対する印刷手段の搬送系統とが互いに独立に構成されていた。即ち、原稿の搬送系統と記録材の搬送系統とは、互いに独立してそれぞれに、給紙部、給紙手段、所定の搬送路を構成するガイド部材、複数の搬送ローラ、駆動源であるモータ、および排紙部等が備えられて構成されていた。このため、画像形成装置の全体的な構成の複雑化、コストの増大および装置サイズの大型化を避けられなかった。
【０００３】
この点、例えば特許文献１では、給紙部から排紙部に至る記録材搬送路中に画像読取手段を備えて、原稿の搬送系統と記録材の搬送系統を共通利用することにより、構成の簡素化と、コストダウンおよびサイズダウンできる画像形成装置が提案されている。
【先行技術文献】
【特許文献】
【０００４】
【特許文献１】特開2000-185881号公報
【発明の概要】
【発明が解決しようとする課題】
【０００５】
しかしながら、特許文献１の画像形成装置では、記録材搬送路中（例えば定着器と排紙部との間）に画像読取手段が備えられている。そのため、読み取り原稿の搬送経路が長く、原稿の読み取りに時間が掛かり、また、原稿が記録材搬送路に搬送されている時には印字等の印刷動作をすることができない。即ち、原稿の読み取り動作中には印刷動作を停止しなくてはならないので、記録材搬送路に搬送されている原稿に対して印字等の印刷を行うことができない。その結果、読み取った原稿に例えば個人情報等の機密情報が記載されている場合に、そうした機密情報の領域に対して塗りつぶす印刷処理を施して当該読み取られた原稿上の機密情報を保護することはできなかった。
【課題を解決するための手段】
【０００６】
上記課題を解決するために、本発明に係る画像形成装置は、記録材を搬送するための第１の搬送路と、第１の搬送路と連結し原稿を搬送するための画像読取手段を備えた第２の搬送路を備え、第２の搬送路には、原稿または記録材を反転して搬送する反転搬送路をさらに備え、原稿の第１面に機密情報を記載した機密領域があるかどうかを判定し、機密領域があると判定された場合に、原稿の第１面とは異なる原稿の第２面における機密領域に対応する対応領域を求める機密領域処理手段と、機密領域および対応領域を予め設定された印刷パターンで印刷するように制御する印刷制御手段と、を有することを特徴とする。
【発明の効果】
【０００７】
本発明によれば、読み取った原稿上の機密情報を保護して、原稿を印刷することができる。
【図面の簡単な説明】
【０００８】
【図１】本発明の実施例１における画像形成装置を示す図である。
【図２】本発明の実施例１における両面印刷のプロセスを説明するための図である。
【図３】本発明の実施例１における原稿の第１面の画像情報の読み取りが開始される動作を説明するための図である。
【図４】本発明の実施例１における原稿が反転搬送路から原稿搬送路へ搬送される動作を説明するための図である。
【図５】本発明の実施例１における原稿の第２面の画像情報の読み取りが開始される動作を説明するための図である。
【図６】本発明の実施例１における原稿が原稿搬送路から第２排紙部へ排出される動作を説明するための図である。
【図７】本発明の実施例１における画像形成を説明するための図である。
【図８】本発明の実施例１における画像形成装置の電装の内部構成を示す図である。
【図９】本発明の実施例１における操作部を示す図である。
【図１０】本発明の実施例１における画像読取部の構成を説明する図である。
【図１１】本発明の実施例１における原稿上の両面に印刷を行う処理（オンプリント処理）の動作を説明する図である。
【図１２】本発明の実施例１における画像処理部の機能ブロック図である。
【図１３】本発明の実施例１における原稿上に印刷を行う処理（オンプリント処理）の手順を説明するフローチャートである。
【図１４】本発明の実施例１における印刷パターンを説明する図である。
【図１５】本発明の実施例１における機密領域の判定方法を説明する図である。
【図１６】本発明の実施例２における原稿上に印刷を行う処理（オンプリント処理）の手順を説明するフローチャートである。
【図１７】本発明の実施例２における印刷パターンを説明する図である。
【発明を実施するための形態】
【０００９】
以下、図面を用いて本発明に係る実施例を説明する。
【実施例１】
【００１０】
図１は、本実施例の画像形成装置１の断面図を示す図である。画像形成装置１は、印字紙や転写紙、またはＯＨＰシート等の記録材Ｓを収納する第１給紙部３と、第１給紙部３から記録材Ｓを搬送する第１の搬送路（記録材搬送路）５と、搬送された記録材Ｓを積載する第１排紙部７と、電装８と、光学ユニット１１を備えている。また、画像形成装置１は、画像情報を記載した原稿Ｇを収納する第２給紙部１３と、第２給紙部１３から原稿Ｇを搬送する第２の搬送路（原稿搬送路）１５および第３の搬送路（原稿搬送路）１６と、搬送された原稿Ｇを排出する第２排紙部１７を備えている。
【００１１】
記録材搬送路５には、記録材Ｓに画像を印刷する印刷部２１、記録材Ｓを搬送するＣＳＴ（カセットトレイ）ピックアップローラ２３、分離手段２５、搬送ローラ２７、排紙ローラ２９、両面印刷のための両面フラッパ３１が備えられている。
【００１２】
原稿搬送路１５には、原稿Ｇまたは記録材Ｓの表裏の面を反転させて搬送する反転搬送路３３、原稿Ｇを搬送するＣＩＳ（コンタクトイメージセンサ）ピックアップローラ３５、分離手段３７、搬送ローラ３９および４１が備えられている。原稿搬送路１６には、搬送ローラ４３、排紙ローラ４５、およびスイッチバックフラッパ４７が備えられている。原稿搬送路１６は、スイッチバックフラッパ４７の位置で反転搬送路３３と連結している。
【００１３】
反転搬送路３３は、両端がそれぞれ搬送ローラ２７および排紙ローラ２９の位置で記録材搬送路５と連結している。反転搬送路３３と原稿搬送路１６との間には、画像読取部５０と、画像読取部５０に対面する位置に白基準部材５１とが備えられている。
【００１４】
光学ユニット１１は、電装８からの印刷信号を受けてレーザ光を印刷部２１に照射する発光部５３が備えられている。電装８の内部構成の詳細は、後述する。
【００１５】
印刷部２１は、感光ドラム６１、現像ローラ６３、転写部６５、および定着部６７で構成されている。定着部６７は、加熱ローラ６９および加圧ローラ７１で構成されている。
【００１６】
感光ドラム６１は、回転可能な像担持体である。現像ローラ６３は、感光ドラム６１と並接し、トナーを保持しながら回転する。光学ユニット１１が印刷信号を受けると、発光部５３は、回転する感光ドラム６１の表面にレーザ光を照射する。レーザ光を照射された感光ドラム６１の表面には、電荷による潜像画像が形成される。現像ローラ６３が回転しながら、感光ドラム６１の表面に形成された潜像画像にトナーを供給すると、感光ドラム６１の表面にはトナー画像が形成される。感光ドラム６１には、記録材Ｓにそのトナー画像を転写する転写部６５が並接されている。
【００１７】
第１給紙部３に収納されていた記録材Ｓは、ＣＳＴピックアップローラ２３と分離手段２５によって一枚ずつ記録材搬送路５の搬送ローラ２７に搬送される。図１において、太い線の矢印は記録材Ｓと記録材Ｓの進行方向を示す。搬送ローラ２７は、感光ドラム６１の表面上にあるトナー画像と記録材Ｓの先端とが合うようにタイミングを調整して、記録材Ｓを転写部６５へ搬送する。
【００１８】
トナー画像は、感光ドラム６１の回転によって転写部６５に向かい、転写部６５に付与される印加バイアスと圧力とによって記録材Ｓに転写される。転写部６５は、記録材Ｓを定着部６７に搬送する。定着部６７では、回転可能な加熱ローラ６９からの熱と加圧ローラ７１による圧力とがトナー画像を記録材Ｓに定着させる。トナー画像が定着された記録材Ｓは排紙ローラ２９に搬送される。片面印刷の場合には、排紙ローラ２９は記録材Ｓを第１排紙部７に排出する。両面印刷の場合には、記録材Ｓは排紙ローラ２９から記録材搬送路５と連結している反転搬送路３３へ搬送される。
【００１９】
スイッチバックフラッパ４７は、原稿Ｇの搬送路を反転搬送路３３から原稿搬送路１６に切り替える。
【００２０】
図２は、本実施例の両面印刷のプロセスを説明するための図である。まず、第１給紙部３に収納されていた記録材Ｓは、ＣＳＴピックアップローラ２３および搬送ローラ２７によって搬送され、転写部６５を通ってその片面にトナー画像が定着され、排紙ローラ２９に搬送される。次に、記録材Ｓの後端が両面フラッパ３１を通過した後、両面フラッパ３１は搬送路を記録材搬送路５から反転搬送路３３に切り替える。その後、排紙ローラ２９は逆回転をし始め、記録材Ｓを反転搬送路３３へ搬送する。記録材Ｓは搬送ローラ３９によって画像読取部５０に搬送される。その後、記録材Ｓは搬送ローラ４１および搬送ローラ２７によって再び転写部６５に搬送される。記録材Ｓに対してトナー画像の転写および定着が行われた後、両面印刷が施された記録材Ｓは第１排紙部７に排出される。
【００２１】
図３は、本実施例の原稿Ｇが第２給紙部１３から原稿搬送路１５へ搬送され、原稿Ｇの第１面（表面）の画像情報の読み取りが開始される動作を説明するための図である。図３において、太い線の矢印は原稿Ｇと原稿Ｇの進行方向とを示す。第２給紙部１３に収納されていた原稿Ｇは、ＣＩＳピックアップローラ３５と分離手段３７によって一枚ずつ搬送ローラ３９に搬送される。画像読取部５０は、原稿Ｇの第１面の画像情報の読み取りを開始する前に、画像読取部５０の感度不均一や光源・光量の不均一等に起因する画像信号の出力レベルのばらつきを補正するためのシェーディング補正係数の導出を行う。シェーディング補正により、濃度（輝度）にムラがある画像からムラを除き、一様な明るさの画像にすることができる。シェーディング補正係数は、画像読取部５０と白基準部材５１とが対面する位置で、白基準画像と黒基準画像とから導出される。ここで、白基準画像は発光素子（図示せず）が白基準部材５１へ発光することで得られ、黒基準画像は発光素子が発光しない状態で画像読取部５０で読み取られる。導出されたシェーディング補正係数を、新たなシェーディング補正係数として設定する。その後、画像読取部５０は、原稿搬送路１５に備えられている反転搬送路３３に対面する位置に回転する。搬送ローラ３９は、原稿Ｇを画像読取部５０に搬送する。反転搬送路３３に対面する位置に待機していた画像読取部５０は原稿Ｇの第１面の画像情報を読み取る。読み取られた原稿Ｇの第１面の画像情報は、電装８に備えられた画像メモリ（図示せず）に記憶される。画像メモリの詳細は、後述する。なお、白基準部材５１は、ごみ付着に対する配慮がなされているため、画像形成装置１に下向きに配置されている。また、基準部材に白基準部材５１を使用しているが、基準部材は白色以外でもよい。
【００２２】
図４は、本実施例の原稿Ｇの第１面（表面）の画像情報の読み取りが終了し、原稿Ｇが反転搬送路３３から原稿搬送路１６へ搬送される動作を説明するための図である。
【００２３】
反転搬送路３３で原稿Ｇの第１面の画像情報の読み取りが開始され、画像読取部５０を通過した原稿Ｇは、搬送ローラ４１に搬送される。搬送ローラ４１は、原稿Ｇの後端がスイッチバックフラッパ４７を通過した時点で停止する。このとき、原稿Ｇは搬送ローラ４１に挟持された状態で所定時間が経過するまで停止している。この所定時間のあいだに、スイッチバックフラッパ４７は、搬送路を反転搬送路３３から原稿搬送路１６に切り替える。所定時間の経過後、搬送ローラ４１は原稿Ｇを原稿搬送路１６へ搬送する。
【００２４】
また、原稿Ｇの第１面の画像情報の読み取りが終了した後、画像読取部５０は白基準部材５１が設置されている位置に対面する位置まで回転する。ここで、白基準部材５１に対面する位置は、画像読取部５０の回転軌道上にある。画像読取部５０と白基準部材５１とが対面する位置で、白基準画像と黒基準画像とから、シェーディング補正係数が導出される。導出されたシェーディング補正係数を、新たなシェーディング補正係数として設定する。
【００２５】
図５は、本実施例の原稿Ｇが反転搬送路３３から原稿搬送路１６へ搬送され、原稿Ｇの第２面（裏面）の画像情報の読み取りが開始され、記録材Ｓは第１給紙部３から記録材搬送路５へ搬送される動作を説明するための図である。原稿Ｇは、所定時間が経過するまで搬送ローラ４１に挟持された状態で停止している。スイッチバックフラッパ４７が原稿Ｇの搬送路を反転搬送路３３から原稿搬送路１６に切り替えると同時に、画像読取部５０は原稿搬送路１６に対面する位置に回転する。搬送ローラ４１が逆回転をし始め、原稿Ｇは原稿搬送路１６を通って画像読取部５０に搬送される。原稿Ｇが画像読取部５０を通過するときに、画像読取部５０は原稿Ｇの第２面の画像情報を読み取る。読み取られた原稿Ｇの第２面の画像情報は、電装８に備えらた画像メモリに記憶される。
【００２６】
一方、第１給紙部３に収納されていた記録材Ｓは、一枚ずつ記録材搬送路５に備えられた搬送ローラ２７に搬送される。搬送されるのとほぼ同時に、発光部５３は、画像メモリに記憶された原稿Ｇの第２面の画像情報に基づいてレーザ光を感光ドラム６１の表面に照射し、これにより潜像画像が感光ドラム６１の表面に形成される。転写部６５は、潜像画像により形成されたトナー画像を記録材Ｓに転写し、定着部６７はトナー画像を記録材Ｓに定着して、原稿Ｇの第２面の画像情報に基づく画像形成が完了する。図５では、原稿Ｇの第２面の画像情報の読み取りの開始とともに記録材Ｓの搬送が開始されているが、原稿Ｇの第２面の画像情報の読み取りの後に記録材Ｓの搬送が開始されてもよい。
【００２７】
図６は、本実施例の原稿Ｇの第２面（裏面）の画像情報の読み取りが終了し、原稿Ｇは原稿搬送路１６から第２排紙部１７へ排出され、記録材Ｓは記録材搬送路５から反転搬送路３３へ搬送される動作を説明するための図である。
【００２８】
原稿搬送路１６で第２面の画像情報を読み取られた原稿Ｇは、搬送ローラ４３および排紙ローラ４５によって第２排紙部１７に排出される。原稿Ｇの後端がスイッチバックフラッパ４７を通過すると、スイッチバックフラッパ４７は、搬送路を原稿搬送路１６から反転搬送路３３へ切り替える。原稿Ｇの第２面の画像形成が完了した記録材Ｓは、排紙ローラ２９の逆回転によって、両面フラッパ３１で切り替えられた反転搬送路３３に向けて搬送される。
【００２９】
図７は、本実施例の原稿Ｇの第１面（表面）の画像情報に基づく画像形成を説明するための図である。原稿Ｇの第２面の画像形成が完了した記録材Ｓの後端が両面フラッパ３１を通過した後、両面フラッパ３１は搬送路を記録材搬送路５から反転搬送路３３へ切り替える。その後、排紙ローラ２９は逆回転をし始め、記録材Ｓを反転搬送路３３へ搬送する。反転搬送路３３に搬送された記録材Ｓは、画像読取部５０を通過して搬送ローラ４１によって搬送ローラ２７に搬送され、さらに搬送ローラ２７によって転写部６５に搬送される。図７において、破線の矢印は記録材Ｓの搬送の様子を示している。発光部５３は、画像メモリに記憶された原稿Ｇの第１面の画像情報に基づいてレーザ光を感光ドラム６１の表面に照射し、これにより潜像画像が感光ドラム６１の表面に形成される。転写部６５は、潜像画像により形成されたトナー画像を記録材Ｓに転写し、定着部６７はトナー画像を記録材Ｓに定着して、原稿Ｇの第１面の画像情報に基づく画像形成が完了する。その後、記録材Ｓは排紙ローラ２９によって第１排紙部７に排出される。
【００３０】
図８は、本実施例の画像形成装置１の電装８の内部構成を示す図である。図８を用いて画像形成装置１の電装８の内部構成を説明する。電装８の内部には、制御ＣＰＵ８０１（以下、ＣＰＵ８０１とする。）によって制御される各ユニットが備えられている。
【００３１】
ＣＰＵ８０１は、ポリゴンミラー、モータおよびレーザ発光素子などを含む発光部５３と、ＡＳＩＣ（Application Specific Integrated Circuit）８０２を介して接続している。ＡＳＩＣ８０２は、ＣＰＵ８０１の制御負荷の低減を図るために用いられている。ＣＰＵ８０１は、感光ドラム６１の表面にレーザ光を走査して所望の潜像画像を形成するために、ＡＳＩＣ８０２に制御信号を送信して発光部５３を制御する。
【００３２】
ＣＰＵ８０１は、バス等を介してプログラムメモリ８０３に接続している。プログラムメモリ８０３には、ＣＰＵ８０１によって行われる処理の全てまたは一部を実行するためのプログラムおよびデータが格納されている。即ち、ＣＰＵ８０１は、プログラムメモリ８０３に格納されたプログラムおよびデータを用いて以下で説明する処理を実行する。
【００３３】
ＡＳＩＣ８０２は、ＣＰＵ８０１の指示に従って、画像読取部５０を制御して、画像読取部５０で読み取られた画像情報を画像メモリ８０４に格納する。
【００３４】
ＣＰＵ８０１は、さらに、電子写真プロセスに必要な帯電、現像、転写などを制御する高電圧電源ユニット８１０と、定着を制御する低電圧電源ユニット８１１とを制御する。また、ＣＰＵ８０１は、定着部６７に設けられたサーミスタ（図示せず）により温度をモニタし、定着温度を一定に保つための制御を行う。
【００３５】
ＣＰＵ８０１は、両面フラッパソレノイド８２０、スイッチバックソレノイド８２１などの駆動系を制御する。また、ＣＰＵ８０１は、記録材Ｓを搬送するために、ＡＳＩＣ８０２に制御信号を送信して、ＣＳＴ給紙ソレノイド８２２、ＣＩＳ給紙ソレノイド８２３、メインモータ８３０、両面駆動モータ８４０などの駆動系を制御する。メインモータ８３０は、ＣＳＴピックアップローラ２３、搬送ローラ２７、感光ドラム６１、転写部６５、加熱ローラ６９、加圧ローラ７１などを駆動する。ＣＳＴ給紙ソレノイド８２２は、記録材Ｓを給紙する給紙ローラの駆動開始時にオンにしてＣＳＴピックアップローラ２３を駆動する。両面駆動モータ８４０はＣＩＳピックアップローラ３５と搬送ローラ３９、４１、４３、および排紙ローラ４５を駆動する。
【００３６】
ＡＳＩＣ８０２は、ＣＰＵ８０１の指示に基づいて発光部５３内部のモータの速度制御、メインモータ８３０の速度制御、両面駆動モータ８４０の速度制御を行う。モータの速度制御では、モータからのタック信号を検出して、タック信号の間隔が所定の時間となるように加速信号または減速信号をモータに送信する。タック信号とは、モータが回転するごとにモータから出力されるパルス信号である。
【００３７】
ＣＰＵ８０１は、タッチパネルなどの表示部、操作キーを有している操作部８０５と接続している。操作部８０５の詳細は、後述する。ＣＰＵ８０１は、操作画面を表示するよう操作部８０５を制御したり、ユーザからのコマンドを操作部８０５を介して受信したりする。
【００３８】
ＣＰＵ８０１は、コピーコマンドを操作部８０５から受信した場合、あるいはホストコンピュータからプリントコマンドを受信した場合、メインモータ８３０、両面駆動モータ８４０を駆動させて、記録材Ｓを搬送する。感光ドラム６１の表面に形成されたトナー画像が転写部６５によって記録材Ｓに転写されて、トナー画像が定着部６７によって記録材Ｓに定着された後、記録材Ｓは第１排紙部７に排出される。画像形成済みの記録材Ｓの整列性を高めるため、第１排紙部７には、排紙口付近から記録材Ｓの排出方向に向けてゆるやかな上がり勾配が設けられている。ＣＰＵ８０１は、定着部６７に所定の電力を供給するよう低電圧電源ユニット８１１を制御し、定着部６７は所定の熱量を発生して、その熱量を記録材Ｓに与え、記録材Ｓ上のトナー画像を融着させ、トナー画像を記録材Ｓに定着させる。
【００３９】
ＣＰＵ８０１は、コピーコマンドを操作部８０５から受信した場合、あるいはホストコンピュータからスキャンコマンドを受信した場合、両面駆動モータ８４０を駆動させる。両面駆動モータ８４０のトルクがＣＩＳピックアップローラ３５に伝達されて、ＣＩＳピックアップローラ３５は原稿Ｇを搬送する。画像読取部５０は、信号線８６０、および８７０を介してＡＳＩＣ８０２と接続している。
【００４０】
図９は、本実施例の操作部８０５の一例を示す図である。表示部９０１は、タッチパネルシートが貼られた液晶ディスプレイから構成されていて、操作画面やソフトキーを表示する。表示部９０１は、ソフトキーが押下されると、押下された位置を示す位置情報をＣＰＵ８０１に送信する。ＣＰＵ８０１はその位置情報に基づいて、ユーザのコマンドを判別する。
【００４１】
キーボード９０２は、テンキー９０３、ストップキー９０４、ユーザモードキー９０５、スタートキー９０６を有する。テンキー９０３は、数字と文字を入力するためのキーであり、コピー部数の設定や画面の切り替えで使われる。ストップキー９０４は、稼働中の動作を止めるためのキーである。ユーザモードキー９０５は、画像形成装置１の設定を行うためのキーである。スタートキー９０６は、画像情報の読み取りの開始や印刷の開始を指示するためのキーである。
【００４２】
スタートキー９０６の中央には、２色ＬＥＤ９０７がある。ＬＥＤ９０７が緑色であるときはスタートキー９０６が使えることを示す。ＬＥＤ９０７が赤色であるときはスタートキー９０６が使えないことを示す。
【００４３】
図１０は、本実施例の画像読取部５０の構成を説明する図である。図１０では、ＣＩＳ（Contact Image Sensor）の回路ブロックを示している。ＣＩＳ１００１では、例えば10,368画素分のフォトダイオードが特定の主走査密度（例えば1,200dpi）でアレイ状に配置されている。
【００４４】
画像読取部５０は、信号線８６０を介して、ＡＳＩＣ８０２からスタートパルス（CISSTART）信号１００２、発光素子制御（CISLED）信号１００３、Ｓｌ_in信号１００４を受信する。さらに、画像読取部５０は、ＡＳＩＣ８０２からＳｌ_select信号１００５、ＣＩＳの動作速度を決めるシステムクロック（SYSCLK）信号１００６を受信する。また、画像読取部５０は、信号線８７０を介して、ＡＳＩＣ８０２にＳｌ_out信号１００７を送信する。
【００４５】
発光素子１００８は、電流増幅部１００９によって増幅された電流に基づいて発光し、原稿Ｇを均一に照射する。
【００４６】
CISSTART信号１００２がアクティブになると、ＣＩＳ１００１は、受けた光に基づく電荷の蓄積を開始し、出力バッファ１０１０にデータを順次セットする。転送クロック（CISCLK）信号１０１１がシフトレジスタ１０１２に与えられると、シフトレジスタ１０１２は、出力バッファ１０１０にセットされたデータをCISSNS信号１０１３としてＡ/Ｄコンバータ１０１４に転送する。CISCLK信号１０１１の周波数は、例えば５００ｋＨｚ〜１ＭＨｚである。
【００４７】
CISSNS信号１０１３には所定のデータ保障領域があるため、CISCLK信号１０１１の立ち上がりタイミングから所定の時間が経過したのちにCISSNS信号１０１３のサンプリングが行われる。CISSNS信号１０１３は、CISCLK信号１０１１の立ち上がりと立ち下りの双方のエッジに同期して出力される。Ａ／Ｄコンバータ１０１４のサンプリング速度を決定するＣＩＳサンプリングクロック（ADCLK）信号１０１５の周波数は、CISCLK信号１０１１の周波数の２倍となるように生成される。そして、ADCLK信号１０１５の立ち上がりのエッジにより、CISSNS信号１０１３がサンプリングされる。タイミングジェネレータ１０１６は、SYSCLK信号１００６を分周して、ADCLK信号１０１５およびCISCLK信号１０１１を生成する。ADCLK信号１０１５の位相は、CISCLK信号１０１１と比べて、データ保障領域分だけ遅延している。
【００４８】
Ａ／Ｄコンバータ１０１４でデジタル変換されたCISSNS信号１０１３は、出力インターフェース回路１０１７によって所定のタイミングでＳｌ_out信号１００７として送信される。Ｓｌ_out信号１００７はシリアルデータである。その際、CISSTART信号１００２から所定画素数分のCISSNS信号１０１３は、アナログ出力基準電圧であるため、有効画素としては使用されない。
【００４９】
制御回路１０１８は、Ｓｌ_in信号１００４およびＳｌ_select信号１００５に従ってＡ／Ｄコンバータ１０１４のＡ／Ｄ変換ゲインを可変に制御することができる。例えば、撮像された画像のコントラストが適切に得られない場合、ＣＰＵ８０１は、Ａ／Ｄコンバータ１０１４のＡ／Ｄ変換ゲインを大きくするよう制御回路１０１８に指示し、コントラストを増加させる。これにより、画像を最良なコントラストで撮影することができる。
【００５０】
図１０では、全ての画素が一つずつCISSNS信号１０１３として出力される例を説明した。しかし、画像を高速で読み取るために、複数画素をエリアごとに分割して、複数のエリアを並行してＡ／Ｄ変換してもよい。また、図１０では、ＣＩＳを画像読取部５０に用いた。しかし、ＣＭＯＳセンサやＣＣＤセンサを画像読取部５０に用いてもよい。
【００５１】
図１１は、本実施例の原稿Ｇの第１面（表面）および第２面（裏面）の両面の画像情報を読み取り、読み取った原稿Ｇの両面に印字等の印刷を行う処理（オンプリント処理）を説明する図である。なお、本実施例では、第１面を表面とし第２面を裏面としているが、第１面を裏面とし第２面を表面としてもよく、原稿Ｇの第１面と第２面が表であるか裏であるかはどちらでも構わない。
【００５２】
画像形成装置１の制御手段であるＣＰＵ８０１は、ホストコンピュータ(図示せず)から、オンプリント処理のコマンドと、原稿Ｇの両面の印刷内容を受信すると、画像メモリ８０４に受信した原稿Ｇの両面の印刷内容を格納し、オンプリント処理を開始する。
【００５３】
第２給紙部１３に収納された原稿Ｇは、ＣＩＳピックアップローラ３５と分離手段３７により、一枚ずつ搬送ローラ３９に搬送される。一方、画像読取部５０は、第２給紙部１３から給紙された原稿Ｇの第１面（表面）の読み取り開始前までに白基準部材５１への発光と、白基準値の修正を実施した後、反転搬送路３３に対面する位置に回転する。搬送ローラ３９は、原稿Ｇを、画像読取部５０に搬送する。既に画像読取部５０は反転搬送路３３に対面する位置に待機しており、画像読取部５０によって読み取られた原稿Ｇの第１面の画像情報は、図８の画像メモリ８０４に記憶される。
【００５４】
画像読取部５０を通過した原稿Ｇは、搬送ローラ４１に搬送される。搬送ローラ４１は、原稿Ｇの後端がスイッチバックフラッパ４７を通過した時点で停止する。よって、原稿Ｇは搬送ローラ４１に挟持された状態で停止している。所定時間の経過後、原稿搬送路１６へ搬送されるように構成されている。
【００５５】
スイッチバックフラッパ４７が搬送路を、反転搬送路３３から原稿搬送路１６に切り替えると同時に、画像読取部５０は、原稿搬送路１６に対面する位置に回転する。搬送ローラ４１が逆回転すると、原稿Ｇは、原稿搬送路１６に沿って、画像読取部５０に搬送される。原稿Ｇが画像読取部５０に搬送され通過することで、画像読取部５０は原稿Ｇの第２面（裏面）の画像情報を読み取る。読み取られた原稿Ｇの第２面の画像情報は、画像メモリ８０４に記憶される。画像情報の読み取りが終了した原稿Ｇは、搬送ローラ４３および排紙ローラ４５に搬送される。排紙ローラ４５は、原稿Ｇの後端が画像読取部５０を通過した時点で停止する。よって、原稿Ｇは排紙ローラ４５に挟持された状態で停止している。所定時間の経過後、排紙ローラ４５は逆回転すると、原稿Ｇは、原稿搬送路１６に沿って搬送ローラ４１によって、搬送ローラ２７に搬送される。搬送ローラ２７は、感光ドラム６１の表面のトナー画像と原稿Ｇの先端位置のタイミングを合わせるように、原稿Ｇを転写部６５へと搬送する。
【００５６】
感光ドラム６１の回転により転写部６５に搬送されるトナー画像は、転写部６５に付与される印加バイアスと圧力によって、原稿Ｇに転写される。更に、転写部６５は、原稿Ｇを定着部６７に搬送する。定着部６７では、回転可能な加熱ローラ６９からの熱と、加熱ローラ６９と対向し、回転可能な加圧ローラ７１の圧力が、トナー画像を原稿Ｇに定着させる。トナー画像が定着された原稿Ｇは、排紙ローラ２９に搬送される。排紙ローラ２９は、原稿Ｇの後端が両面フラッパ３１を通過した時点で停止し、両面フラッパ３１は原稿Ｇが搬送ローラ３９の方向に搬送されるよう切り替える。所定時間の経過後、排紙ローラ２９が逆回転すると、原稿Ｇは、搬送ローラ３９に搬送される。引き続き、原稿Ｇは、搬送ローラ４１および搬送ローラ２７によって、転写部６５および定着部６７へと搬送され、トナー画像が印刷される。その後、原稿Ｇは排紙ローラ２９に搬送され、排紙ローラ２９は原稿Ｇを第１排紙部７に排出する。このようにして、原稿Ｇの両面の画像情報を読み取り、読み取った原稿Ｇの両面に画像形成を行う。
【００５７】
図１２は、本実施例のＣＰＵ８０１によって制御される画像処理部１２００の機能を示す機能ブロック図である。
【００５８】
画像処理部１２００は、モード判定部１２０１、機密領域処理部１２０２、および印刷制御部１２０３を備えている。モード判定部１２０１は、ホストコンピュータから受信したコマンドが、読み取った原稿の機密領域が見えないように機密領域を塗りつぶして印刷するモードであるか否かを判定する。
【００５９】
機密領域処理部１２０２は、読み取った原稿Ｇ上に例えば個人情報や暗証番号等の機密情報を記載した機密領域があるかどうかを判定する。また、機密領域処理部１２０２は、機密領域がある場合に、機密領域に対応する対応領域を求める。ここで、対応領域とは第１面（表面）の機密領域を第２面（裏面）側から透かして見た時の位置をいう。
【００６０】
印刷制御部１２０３は、原稿Ｇ上の機密領域およびその対応領域を印刷して塗りつぶす印刷パターンを決める制御を行う。もちろん、原稿Ｇの第1面の機密領域を塗りつぶし、第２面の対応領域は塗りつぶさなくてもよい。  
【００６１】
図１３は、本実施例の原稿Ｇ上に印字等の印刷を行う処理（オンプリント処理）を説明するフローチャートである。図１３を用いて、本実施例における画像形成装置１内の制御手段であるＣＰＵ８０１の動作を説明する。なお、図１３のフローチャートにおける各ステップの処理は、ＣＰＵ８０１がプログラムメモリ８０３に格納されたプログラムを実行することによって実施される。また、画像処理については、画像処理部１２００の各機能により実行される。
【００６２】
ＣＰＵ８０１は、ホストコンピュータ(図示せず)から、機密領域を塗りつぶして印刷するモードのコマンドと、原稿Ｇの第１面用および第２面用の印刷パターンを受信すると、画像メモリ８０４に印刷パターンを格納し、オンプリント処理を開始する。
【００６３】
ステップＳ１３０１において、モード判定部１２０１は、ホストコンピュータから受信したコマンドが機密領域を塗りつぶして印刷するモードか否かを判定する。コマンドは、ホストコンピュータからのコマンド以外に表示部９０１のタッチパネルの操作によるコマンドでもかまわない。機密領域を塗りつぶして印刷するモードであれば、ステップＳ１３０２に進む。機密領域を塗りつぶして印刷するモードでなければ、機密領域を塗りつぶすことなく処理を終了する。
【００６４】
ステップＳ１３０２において、画像読取部５０は、原稿Ｇの両面の画像情報を読み取る。詳細動作は図１１を用いて説明した通りである。第２給紙部１３に収納された原稿Ｇを搬送し、画像読取部５０で原稿Ｇの両面の画像情報を読み取り、読み取った原稿Ｇの両面の画像情報は画像メモリ８０４に記憶される。原稿Ｇの両面の画像情報を読み取ると、ステップＳ１３０３に進む。
【００６５】
ステップＳ１３０３において、機密領域処理部１２０２は、画像情報を読み取った原稿Ｇの第１面（表面）に機密領域があるかどうかを判定する。例えば、ステップＳ１３０２で画像メモリ８０４に格納されている読み取った原稿Ｇの第１面の画像情報に基づいて原稿Ｇの画像の第１面に、予め所定の色の枠（例えば赤枠）で囲んだ機密情報を記載した機密領域があるかどうかを判定する。赤枠の判定方法の詳細は、後述する。
【００６６】
機密領域の有無の判定結果に基づいて、原稿Ｇの画像の第１面に少なくとも一つの機密領域（赤枠）があればステップＳ１３０４へ進む。それ以外、つまり機密領域が存在しなければステップＳ１３１１に進む。
【００６７】
ステップＳ１３０４において、印刷部２１は、画像メモリ８０４に格納した第１面用の印刷パターンで赤枠内を塗りつぶすように原稿Ｇ上に印刷し、ステップＳ１３０５に進む。印刷の詳細な説明は図１１を用いて説明した通りである。
【００６８】
ステップＳ１３０５において、機密領域処理部１２０２は、読み取った原稿Ｇの第２面（裏面）の画像情報に基づいて、原稿Ｇの第２面の対応領域を求める。即ち、原稿Ｇの縦方向の中心線に対する第1面の機密領域の鏡像位置となる位置が第２面の対応領域となる。ステップＳ１３０４で第１面の機密領域（赤枠）内を印刷して塗りつぶすが、さらに機密性を高めるために原稿Ｇを透かして見た時に機密情報が確認できないように原稿Ｇの第２面も印刷して塗りつぶす。そのために第１面の機密領域に対応する第２面の対応領域を求める。例えば、原稿Ｇの横幅Ｘ、高さＹ、赤枠の左上座標（Ｘ１、Ｙ１）、右下座標（Ｘ２、Ｙ２）とすると、対応領域の矩形は、左上座標（Ｘ-Ｘ２、Ｙ１）、右下座標（Ｘ-Ｘ１、Ｙ２）となる。原稿Ｇの第２面の対応領域を求めると、ステップＳ１３０６に進む。
【００６９】
以下のステップで、印刷制御部１２０３は、原稿Ｇの第２面の対応領域を印刷して塗りつぶす印刷パターンを決める制御を行う。
【００７０】
ステップＳ１３０６において、印刷制御部１２０３は、読み取った原稿Ｇの第２面の画像情報に基づいて、原稿Ｇの第２面の対応領域に何らかのイメージが存在するか、または背景もしくは原稿Ｇの用紙の色が閾値より濃いかどうかを判定する。ここで、何らかのイメージとは、原稿Ｇの第１面に記載された機密情報を第２面から透かして読み取ることのできない濃さの文字や図形等を表したイメージのことをいう。
【００７１】
色の濃さを判定する場合の具体例としては、対応領域にある画像のＲＧＢカラーを（ｒ、ｇ、ｂ）、閾値のＲＧＢカラーを（Ｒ、Ｇ、Ｂ）とすると、ｒ < Ｒ または ｇ < Ｇ または ｂ < Ｂが成立するときに閾値より色が濃いと判定する。
【００７２】
対応領域に画像が存在しない場合、または背景もしくは原稿Ｇの用紙の色が濃くない場合は、ステップＳ１３０７に進む。
【００７３】
対応領域に画像が存在する場合、または背景もしくは原稿Ｇの用紙の色が濃い場合は、原稿Ｇを透かしても第１面に記載された機密情報を第２面から読み取ることができないため、原稿Ｇの第２面には印刷せずにステップＳ１３１１に進む。
【００７４】
ステップＳ１３０７において、印刷制御部１２０３は、読み取った原稿Ｇの第２面の画像情報に基づいて、原稿Ｇの第２面（裏面）の対応領域内にステップＳ１３０６で判定した画像以外に文字や図形等の印刷内容がないかどうかを判定する。何も印刷内容がない場合はステップＳ１３０８に進み、何か印刷内容がある場合はステップＳ１３０９に進む。なお、印刷パターンは、原稿Ｇの第１面（表面）の機密領域に何も印刷内容がないかどうかを判定した結果によって、変更してもよい。
【００７５】
ステップＳ１３０８において、印刷部２１は、原稿Ｇの第２面の対応領域を画像メモリ８０４に格納した第２面用の印刷パターンで塗りつぶすように印刷する。原稿Ｇの第２面への印刷方法は図１１を用いてすでに説明した方法と同じである。
【００７６】
ステップＳ１３０９において、印刷制御部１２０３は、読み取った原稿Ｇの第２面の画像情報に基づいて、原稿Ｇの第２面の対応領域内に文字または線画を含むかどうかを判定する。文字または線画を含む場合はステップＳ１３１０に進む。文字または線画を含まない場合は、原稿Ｇの第２面の対応領域の判定が明確ではないため、原稿Ｇの第２面には印刷せずにステップＳ１３１１に進む。
【００７７】
ステップＳ１３１０において、印刷部２１は、原稿Ｇの第２面の対応領域を画像メモリ８０４に格納した第２面用の印刷パターンの文字または線画領域用に設定された印刷パターンで塗りつぶすように印刷する。例えば、文字や線画の可読性を落とさないように網がけの印刷パターンで印刷して塗りつぶす。可読性をまったく落としたくないときは、白の印刷パターン、即ち塗りつぶしなしでも良い。ステップＳ１３０８またはＳ１３１０の処理の終了後に、ステップＳ１３１１に進む。なお、Ｓ１３０４において第１面の機密領域をパターンで塗りつぶし、Ｓ１３０５〜Ｓ１３１０の第２面の対応領域を塗りつぶす処理を省略してもよい。
【００７８】
ステップＳ１３１１において、機密領域処理部１２０２は、第２給紙部１３にある全ての原稿Ｇを処理したか判定する。処理していない原稿Ｇが残っている場合は、ステップＳ１３０２に戻って機密領域を塗りつぶして印刷する処理を継続する。全ての原稿Ｇを処理した場合は、機密領域を塗りつぶして印刷する処理を終了する。
【００７９】
図１４は、本実施例の原稿Ｇの機密領域およびその対応領域を塗りつぶす印刷パターンを説明する図である。図１４（ａ）は、原稿Ｇの第１面（表面）１４０１を表し、第１面１４０１上の所定の色の枠、例えば赤枠で囲んだ機密情報を記載した機密領域１４０２を第１面用の印刷パターンで印刷して塗りつぶした状態を示している。図１４（ｂ）は、原稿Ｇの第２面（裏面）１４０３を表し、機密領域１４０２に対応する第２面１４０３上の領域である対応領域１４０４を印刷して塗りつぶした状態を示している。対応領域１４０４の位置は、機密領域１４０２に対して原稿Ｇの縦方向の中心線に対する鏡像位置である。図１４（ｃ）は、第１面１４０１上の機密領域１４０２を斜線で塗りつぶす図１４（ａ）の印刷パターンとは異なり、黒点で塗りつぶす印刷パターンで印刷して塗りつぶした機密領域１４０５を示している。図１４（ｄ）は、第２面１４０３上の対応領域１４０４を斜線で塗りつぶす図１４（ｂ）の印刷パターンとは異なり、白抜きの点で塗りつぶす印刷パターンで印刷して塗りつぶした対応領域１４０６を示している。
【００８０】
第２面用の印刷パターンは、第１面用の印刷パターンを中心線に対して鏡像位置に反転したものである。このようにすることで、機密領域１４０２を透かして見た時に機密領域１４０２と対応領域１４０４の互いの隙間部分が他方の塗りつぶし部分と重なり、完全に黒くなって、塗りつぶされていない箇所がなくなる。こうすることで、全面を黒で印刷して塗りつぶすよりも少ないトナー消費量で機密領域１４０２と対応領域１４０４を塗りつぶすことができるという効果がある。
【００８１】
図１５は、本実施例の機密領域の判定方法を説明する図である。図１５を用いて、原稿１５０１上の機密情報１５０２が記載された機密領域である所定の色の枠、例えば赤枠１５０３の判定方法を説明する。赤枠１５０３の判定方法は、連続する赤画素で囲まれた領域を構成するかどうかで判定する。
【００８２】
具体例には、まず、原稿１５０１の縦方向について、画像の解像度と赤画素数を表すヒストグラム１５０４から赤画素を表す位置１５０５および位置１５０６を検出してこれら２つの位置１５０５および位置１５０６の間の距離を導出する。その距離が閾値以上（例えば、２０画素以上、または５ｃｍ以上）であれば、位置１５０５および位置１５０６を赤枠１５０３の横方向の候補として仮決定する。仮決定した位置１５０５および位置１５０６の間の領域１５０７にも連続して赤画素が一定以上存在すれば位置１５０５および位置１５０６を赤枠１５０３の横方向の候補として決定する。
【００８３】
次に、原稿１５０１の縦方向と同様に、原稿１５０１の横方向について、ヒストグラム１５０８上の赤画素を表す位置１５０９および位置１５１０の間の距離を導出する。導出した距離と、位置１５０９および位置１５１０の間の領域１５１１の連続する赤画素の存在に基づいて、赤枠１５０３の縦方向の候補の位置１５０９および位置１５１０を決定する。そして、赤枠１５０３の横方向の候補の位置と縦方向の候補の位置とで囲まれた領域を赤枠１５０３の領域とする。
【００８４】
本実施例の機密領域の判別方法では、赤枠１５０３の領域を判別する方法を用いているが、赤色以外の所定の色でもよい。また、機密領域を所定の色の枠で囲み、その枠内の先頭部分に星印１５２０等のマークを付けて判別する方法や、バーコード１５３０で機密領域を判別する方法等どのような手段を用いても構わない。
【００８５】
以上説明したように、原稿読取手段の原稿搬送路１５と記録材搬送路５とを分けて、両面印刷用の反転搬送路３３を原稿搬送路１５と兼ねているため、原稿Ｇが給紙部から排紙部に至るまでに原稿Ｇ上の機密領域に印刷して機密情報を塗りつぶすことができる。即ち、画像情報を読み取った原稿Ｇに印刷できる搬送路を持つ事により、機密情報が記載されている原稿Ｇをセットするだけで、原稿Ｇの第１面の機密領域と第２面の対応領域に印刷できる。
【００８６】
その結果、ユーザの手間をかけずに機密情報を保護する多機能画像形成装置を提供することができる。
【００８７】
また、画像形成のための記録材搬送路５とは異なる既存の両面印刷用の反転搬送路３３を、原稿読取手段の原稿搬送路１５と兼ね、かつ読取手段を回転可能とすることで、安価で、画像情報の読み取り時においても印刷可能な画像形成装置を提供することができる。
【００８８】
さらに、２つの搬送経路である原稿搬送路１６と反転搬送路３３との間に画像読取部５０が備えられ、原稿Ｇを読み取る搬送経路が短いため、原稿Ｇの読み取り時間を短くすることができる。
【実施例２】
【００８９】
次に、画像情報を読み取った原稿Ｇの１枚目の塗りつぶす位置および印刷パターンを取得し、それと同様に２枚目以降の原稿Ｇの機密領域に印刷して塗りつぶす処理について説明する。なお、実施例１と共通する部分については説明を簡略化ないしは省略し、ここでは差異点を中心に説明することとする。
【００９０】
図１６は、本実施例の原稿Ｇ上に印字等の印刷を行うオンプリント処理を説明するフローチャートである。図１６を用いて、本実施例における画像形成装置１内の制御手段であるＣＰＵ８０１の動作を説明する。なお、図１６のフローチャートにおける各ステップの処理は、ＣＰＵ８０１がプログラムメモリ８０３に格納されたプログラムを実行することによって実施される。また、画像処理については、画像処理部１２００の各機能により実行される。
【００９１】
ステップＳ１６０１において、画像読取部５０は、１枚目の原稿Ｇの第１面の画像情報を読み取り、画像メモリ８０４に記憶する。図３を用いて説明した通り、第２給紙部１３に収納された原稿Ｇを搬送し、画像読取部５０で１枚目の原稿Ｇの第１面の画像情報を読み取り、読み取った原稿Ｇの第１面の画像情報は、画像メモリ８０４に記憶される。原稿Ｇの第１面の画像情報を画像メモリ８０４に記憶すると、ステップＳ１６０２に進む。
【００９２】
ステップＳ１６０２において、モード判定部１２０１は、読み取った原稿Ｇの第１面の画像情報から機密領域を塗りつぶして印刷する設定モードかどうかを判定する。機密領域を塗りつぶして印刷する設定モードかどうかの判定結果に基づいて、次に進むステップが分かれる。機密領域を塗りつぶして印刷する設定モードではない場合は、ステップＳ１６０３に進む。機密領域を塗りつぶして印刷する設定モードであればステップＳ１６０４に進む。
【００９３】
ここで、図１７を用いて、本実施例の原稿Ｇの印刷パターンを説明する。図１７（ａ）は、１枚目の原稿Ｇが機密領域を塗りつぶして印刷する処理前の設定用紙であるときの第１面（表面）１７０１を表し、第１面１７０１上の赤枠で囲んだ機密情報を記載した機密領域１７０２を示している。また、第１面１７０１上には、モード設定領域１７０３が表示されている。モード設定領域１７０３が存在するときは、その中のモード指示によりモードを設定する。本実施例では、機密領域を塗りつぶして印刷する用紙設定モードを意味するモード１が設定されている。
【００９４】
図１７（ｂ）は、原稿Ｇが機密領域を塗りつぶして印刷する処理を行いオンプリント処理された原稿Ｇであるときの第１面１７０１を表し、第１面１７０１上の赤枠で囲んだ機密情報を記載した領域を塗りつぶした機密領域１７０４を示している。また、第１面１７０４上には、機密領域を塗りつぶして印刷する設定モードを意味するモード１が設定されたモード設定領域１７０３が表示されている。
【００９５】
図１７（ｃ）は、２枚目の原稿Ｇの第１面（表面）１７０５を表し、第１面１７０５上の赤枠で囲んだ機密領域１７０７を示している。
【００９６】
図１７（ｄ）は、２枚目の原稿Ｇが、１枚目の原稿Ｇと同じ機密領域を塗りつぶして印刷する処理を行いオンプリント処理された原稿Ｇであるときの第１面１７０５を表す。第１面１７０５の面上には、第１面１７０１上の赤枠で囲んだ機密情報を記載した領域を塗りつぶした機密領域１７０９を示している。
【００９７】
図１６のフローチャートに戻る。例えば、モード判定部１２０１で、図１７（ａ）の原稿Ｇの第１面１７０１のモード設定領域１７０３が存在すればその中のモード指示によりモードを設定する。本実施例では、モード１は機密領域を塗りつぶして印刷する設定モードを意味し、矩形領域の機密領域１７０２と印刷パターンを画像メモリ８０４に記憶してステップＳ１６０４に進む。
【００９８】
ステップＳ１６０３において、画像読取部５０は、機密領域を塗りつぶして印刷するモードとして１枚目の原稿Ｇの第２面の画像情報を読み取って図１３のステップＳ１３０３に進み、それ以降の処理は実施例１と同様である。
【００９９】
ステップＳ１６０４において、印刷部２１は、１枚目の原稿Ｇを塗りつぶした印刷パターンを２枚目以降の原稿Ｇの第１面に印刷する。即ち2枚目以降の原稿Ｇの第１面の機密領域１７０７に印刷パターンを印刷し、その印刷後にステップＳ１６０５に進む。
【０１００】
ステップＳ１６０５において、機密領域処理部１２０２は、１枚目の原稿Ｇの第２面の画像情報を読み取ってから、１枚目の原稿Ｇの第２面の対応領域を求め、ステップＳ１６０６に進む。即ち、ステップＳ１６０２で画像メモリ８０４に記憶した矩形領域に対応する原稿Ｇの第２面の対応領域を求める。対応領域の求め方は実施例１と同様である。
【０１０１】
ステップＳ１６０６からＳ１６１１は、実施例１のステップＳ１３０６からＳ１３１１と同様で、１枚目の原稿Ｇの第２面の対応領域の印刷パターンに応じて全ての原稿Ｇの第２面に印刷を行い、全ての原稿Ｇを処理する。なお、本実施例では、第１面を表面とし第２面を裏面としているが、第１面を裏面とし第２面を表面としてもよく、原稿Ｇの第１面と第２面が表であるか裏であるかはどちらでも構わない。
【０１０２】
以上説明したように、実施例１と同様に、読み取った原稿Ｇの両面に印刷できるような搬送路を持つ事で、機密領域のある原稿Ｇをセットするだけで、第１面の機密領域と第２面の対応領域を塗りつぶして機密を保持する、多機能画像形成装置を提供できる。また、装置のCPU能力が低い、搭載メモリが少ないなど、実施例１のように機密領域を自動的に判定できない場合でも、1枚目で簡易に機密領域を指定できるので機密領域を塗りつぶして印刷する処理が可能となる。さらに、機密領域の自動判定の精度を上げることができる。
【０１０３】
（その他の実施例）
また、本発明の目的は、以下の処理を実行することによっても達成される。即ち、上述
した実施例の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコードおよび該プログラムコードを記憶した記憶媒体は本発明を構成することになる。
【図１】
2014103526.tif 000003
【図２】
2014103526.tif 000004
【図３】
2014103526.tif 000005
【図４】
2014103526.tif 000006
【図５】
2014103526.tif 000007
【図６】
2014103526.tif 000008
【図７】
2014103526.tif 000009
【図８】
2014103526.tif 000010
【図９】
2014103526.tif 000011
【図１０】
2014103526.tif 000012
【図１１】
2014103526.tif 000013
【図１２】
2014103526.tif 000014
【図１３】
2014103526.tif 000015
【図１４】
2014103526.tif 000016
【図１５】
2014103526.tif 000017
【図１６】
2014103526.tif 000018
【図１７】
2014103526.tif 000019